(57)【要約】【課題】  ＶｏＩＰ接続等の通信の確立を迅速に行う。【解決手段】  発信側移動通信端末１０ａは、相手端末１０ｂを特定する相手端末情報を入力して、移動体通信網との間のベアラを確立するためのベアラ確立要求を移動体通信網に送信すると共に当該送信の際に相手端末情報を移動体通信網に送信する。発信側ＧＰＲＳ交換機３０ａは、ベアラ確立要求を受信して発信側移動通信端末１０ａのベアラを確立すると共に相手端末情報をＳＩＰサーバ４０ａに通知する。ＳＩＰサーバ４０ａは、相手端末１０ｂのベアラの確立を発信側移動通信端末１０ａのベアラ確立と並行して行うよう制御する。【選択図】  図６
2009065271.tif 000002
【特許請求の範囲】
【請求項１】
移動体通信網を介して相手端末との間にセッションを確立して当該相手端末との間で通信を行う移動通信端末であって、
前記相手端末を特定する相手端末情報を入力する入力手段と、
前記通信を行うための前記移動体通信網との間のベアラを確立するためのベアラ確立要求を前記移動体通信網に送信すると共に、当該送信の際に前記入力手段により入力された前記相手端末情報を前記移動体通信網に送信するベアラ確立要求送信手段と、
を備える移動通信端末。
【請求項２】
前記入力手段は、複数の前記相手端末を特定する情報を入力し、
前記ベアラ確立要求手段は、前記入力手段により入力された前記複数の前記相手端末情報を前記移動体通信網に送信する、
ことを特徴とする請求項１に記載の移動通信端末。
【請求項３】
移動通信端末に、移動体通信網を介して相手端末との間にセッションを確立して当該相手端末との間で通信を行う機能を提供する通信制御システムであって、
前記移動通信端末から送信される、前記通信を行うための前記移動体通信網との間のベアラを確立するためのベアラ確立要求を受信すると共に、当該ベアラ確立要求の送信の際に送信される前記相手端末を特定する相手端末情報を受信するベアラ確立要求受信手段と、
前記ベアラ確立要求受信手段により受信されたベアラ確立要求に基づいて前記移動通信端末と移動体通信網との間のベアラを確立すると共に、当該ベアラの確立と並行して、前記ベアラ確立要求受信手段により受信された前記相手端末情報により特定される前記相手端末と前記移動体通信網との間のベアラが確立されているかを確認して当該ベアラが確立されていない場合に当該ベアラを確立するベアラ確立手段と、
前記ベアラ確立手段により確立された各ベアラを用いた、前記移動通信端末と前記相手端末との間にセッションを確立するセッション確立手段と、
を備える通信制御システム。
【請求項４】
前記ベアラ確立要求受信手段は、当該ベアラ確立要求の送信の際に送信される複数の前記相手端末を特定する情報を受信し、
前記ベアラ確立手段は、前記ベアラ確立要求受信手段により受信された前記複数の前記相手端末情報により特定される複数の前記相手端末と前記移動体通信網との間の各ベアラが確立されているかを確認して当該各ベアラが確立されていない場合に当該各ベアラを確立し、
前記セッション確立手段は、前記ベアラ確立手段により確立された各ベアラを用いた、前記移動通信端末と前記複数の前記相手端末との間にセッションを確立する、
ことを特徴とする請求項３に記載の通信制御システム。
【発明の詳細な説明】
【技術分野】
【０００１】
本発明は、移動体通信網を介して相手端末との間にセッションを確立して当該相手端末との間で通信を行う移動通信端末、及び当該通信の制御を行う通信制御システムに関する。
【背景技術】
【０００２】
従来から、携帯電話機等の移動通信端末が用いられたＰｏＣ（Push-to-Talkover Cellular）通信サービス等のＶｏＩＰ（Voice over Internet Protocol）通信サービスが実施されている。
【０００３】
ＧＰＲＳ（General Packet Radio Service）通信システム上でＳＩＰ（SessionInitiation Protocol）によるＶｏＩＰの通信を実施する場合には、発信側の移動通信端末も着信側の移動通信端末も常にＧＰＲＳベアラを設定し、ＳＩＰの登録メッセージ（Registrationメッセージ）による登録を事前に行っておく方法がある。しかしながら、常にＧＰＲＳベアラを設定するだけのリソースが確保できない場合等には、ＧＰＲＳベアラの設定を行って通信路を形成し、ＳＩＰによる登録を行った後に、ＩＮＶＩＴＥによるＶｏＩＰ呼び出しを実施することが行われている。
【０００４】
上記のような処理において、主に無線区間でＰＴＴ（Push To Talk）やＶｏＩＰの設定時間を短縮する技術が特許文献１〜４に記載されている。
【特許文献１】特開２００４−２８９８４１号公報
【特許文献２】特開２００５−１７６３５９号公報
【特許文献３】特開２００６−９３８６９号公報
【特許文献４】特開２００６−１９１６３０号公報
【発明の開示】
【発明が解決しようとする課題】
【０００５】
しかしながら、上述した従来技術に係るＶｏＩＰシステムには、以下に示す問題点があった。上述したＶｏＩＰシステムでは、通信が実施される際に、発信側の移動通信端末のＧＰＲＳベアラ確立後にＳＩＰの登録が行われ、ＩＮＶＩＴＥによる呼び出しが行われた時点で着信側の移動通信端末のＳＩＰの登録が調べられる。ＳＩＰの登録がなされていない場合には、発信側の移動通信端末のＧＰＲＳベアラ確立及びＳＩＰの登録の後に、着信側の移動通信端末に対してＩＮＶＩＴＥによるＶｏＩＰ呼び出しが行われる。このようにＶｏＩＰ接続の確立に時間を要していた。
【０００６】
本発明は、以上の問題点を解決するためになされたものであり、ＶｏＩＰ接続等の通信の確立を迅速に行うことができる移動通信端末及び通信制御システムを提供することを目的とする。
【課題を解決するための手段】
【０００７】
上記の目的を達成するために、本発明に係る移動通信端末は、移動体通信網を介して相手端末との間にセッションを確立して当該相手端末との間で通信を行う移動通信端末であって、相手端末を特定する相手端末情報を入力する入力手段と、通信を行うための移動体通信網との間のベアラを確立するためのベアラ確立要求を移動体通信網に送信すると共に、当該送信の際に入力手段により入力された相手端末情報を移動体通信網に送信するベアラ確立要求送信手段と、を備えることを特徴とする。
【０００８】
また、上記の目的を達成するために、本発明に係る通信制御システムは、移動通信端末に、移動体通信網を介して相手端末との間にセッションを確立して当該相手端末との間で通信を行う機能を提供する通信制御システムであって、移動通信端末から送信される、通信を行うための移動体通信網との間のベアラを確立するためのベアラ確立要求を受信すると共に、当該ベアラ確立要求の送信の際に送信される相手端末を特定する相手端末情報を受信するベアラ確立要求受信手段と、ベアラ確立要求受信手段により受信されたベアラ確立要求に基づいて移動通信端末と移動体通信網との間のベアラを確立すると共に、当該ベアラの確立と並行して、ベアラ確立要求受信手段により受信された相手端末情報により特定される相手端末と移動体通信網との間のベアラが確立されているかを確認して当該ベアラが確立されていない場合に当該ベアラを確立するベアラ確立手段と、ベアラ確立手段により確立された各ベアラを用いた、移動通信端末と相手端末との間にセッションを確立するセッション確立手段と、を備えることを特徴とする。
【０００９】
本発明に係る移動通信端末では、相手端末との通信を行う際のベアラを確立するためのベアラ確立要求と合わせて相手端末情報が移動体通信網に送信される。本発明に係る通信制御システムでは、ベアラ確立要求及び相手端末情報が受信されて、移動通信端末及び相手端末と移動体通信網との間のベアラが確立される。即ち、本発明によれば、移動通信端末及び相手端末と移動体通信網との間のベアラの確立処理が並行して（パラレルに）行われるため、ＶｏＩＰ接続等の通信の確立を迅速に行うことができる。
【００１０】
入力手段は、複数の相手端末を特定する情報を入力し、ベアラ確立要求手段は、入力手段により入力された複数の相手端末情報を移動体通信網に送信する、ことが望ましい。
【００１１】
ベアラ確立要求受信手段は、当該ベアラ確立要求の送信の際に送信される複数の相手端末を特定する情報を受信し、ベアラ確立手段は、ベアラ確立要求受信手段により受信された複数の相手端末情報により特定される複数の相手端末と移動体通信網との間の各ベアラが確立されているかを確認して当該各ベアラが確立されていない場合に当該各ベアラを確立し、セッション確立手段は、ベアラ確立手段により確立された各ベアラを用いた、移動通信端末と複数の相手端末との間にセッションを確立する、ことが望ましい。
【００１２】
これらの構成によれば、複数の端末間で通信が行われるような、ＰｏＣ等のシステムにおいても確実に本発明を実施することができる。
【発明の効果】
【００１３】
本発明によれば、移動通信端末及び相手端末と移動体通信網との間のベアラの確立処理が並行して行われるため、ＶｏＩＰ接続等の通信の確立を迅速に行うことができる。
【発明を実施するための最良の形態】
【００１４】
以下、図面とともに本発明に係る移動通信端末及び通信制御システムの好適な実施形態について詳細に説明する。なお、図面の説明においては同一要素には同一符号を付し、重複する説明を省略する。
【００１５】
図１に本実施形態に係る移動通信端末１０（移動通信端末１０ａ，１０ｂの総称）及び移動通信システム１を示す。移動通信端末１０は、移動体通信網であるＧＰＲＳ網Ｎ（ＧＰＲＳ網Ｎａ，Ｎｂの総称）に接続して、ＧＰＲＳ網Ｎを介して相手端末１０との間で通信を行う装置である。具体的には例えば、移動通信端末１０は携帯電話機等である。また、移動通信端末１０間で行われる通信は、具体的には例えば、ＰｏＣ等のＶｏＩＰの通信である。移動通信端末１０間の通信は、まずそれぞれの移動通信端末１０とＧＰＲＳ網Ｎとの間にＧＰＲＳベアラが確立されて、それぞれの移動通信端末１０間にＶｏＩＰセッションが確立されて、当該ＶｏＩＰセッションを用いて行われる。
【００１６】
また、この通信は、移動通信端末１０間でパケットが送受信されることにより行われる。なお、図１に示すように、通信を行う移動通信端末１０は、同じＧＰＲＳ網Ｎに接続されている必要はなく、互いに情報の送受信を行うことができる異なるＧＰＲＳ網Ｎに接続されていればよい。もちろん同じＧＰＲＳ網Ｎに接続されていてもよい。移動通信端末１０について、より詳細には後述する。
【００１７】
ＧＰＲＳ網Ｎは、移動通信端末１０の接続対象であり、移動通信端末１０に移動体通信を可能にさせる移動体通信網である。図１に示すようにＧＰＲＳ網Ｎは、無線基地局２０（無線基地局２０ａ，２０ｂの総称）と、ＧＰＲＳ交換機３０（ＧＰＲＳ交換機３０ａ，３０ｂの総称）とを含んで構成される。無線基地局２０は、移動通信端末１０との間で無線通信を行う装置である。通常、ＧＰＲＳ網Ｎには、複数の無線基地局２０が含まれている。
【００１８】
ＧＰＲＳ交換機３０は、移動通信端末１０との間で無線基地局２０を介して信号の送受信を行い、移動通信端末１０間の通信のための接続を確立するための装置である。ＧＰＲＳ交換機３０の機能の一つとして、移動通信端末１０とＧＰＲＳ網Ｎとの間のＧＰＲＳベアラを確立させる機能がある。ＧＰＲＳ交換機３０について、より詳細には後述する。なお、ＧＰＲＳ交換機３０と無線基地局２０との間は、通常、ＲＮＣ（Radio Network Controller：無線ネットワーク制御装置）を介して情報の送受信が行われる。
【００１９】
移動通信システム１は、上記の構成要素以外に、ＳＩＰサーバ４０（ＳＩＰサーバ４０ａ，４０ｂの総称）と、加入者情報管理サーバ５０とを含んでいる。
【００２０】
ＳＩＰサーバ４０は、ＧＰＲＳ網Ｎ（のＧＰＲＳ交換機３０）と接続されており、ＳＩＰに係る機能を提供するサーバ装置である。ＳＩＰに係る機能は、具体的には、ＳＩＰ登録機能、ＳＩＰ転送（ＰｏＣ呼制御）機能等である。ここで、ＳＩＰ登録機能は、移動通信端末１０がＳＩＰによる通信が可能であることを、加入者情報管理サーバ５０に登録（ＳＩＰ登録）する機能である。なお、ＳＩＰ登録がなされている移動通信端末１０は、ＧＰＲＳ網Ｎとの間のＧＰＲＳベアラが確立されている。ＳＩＰ転送機能は、移動通信端末１０間にＶｏＩＰセッションを確立させる機能である。ＳＩＰサーバ４０については、より詳細には後述する。
【００２１】
図１に示すように、移動通信システム１には、複数のＳＩＰサーバ４０が含まれており、ＳＩＰサーバ４０毎に所定のＧＰＲＳ網Ｎに接続されている。また、ＳＩＰサーバ４０間で相互に接続されており、情報の送受信を行うことにより、上記の機能を実現する。なお、移動通信システム１に複数のＳＩＰサーバ４０を設ける必要はなく、１つのＳＩＰサーバ４０により上記の機能を提供することとしてもよい。
【００２２】
加入者情報管理サーバ５０は、移動通信端末１０が通信を行うために必要な各移動通信端末１０に応じた情報を管理するサーバ装置である。上述のように、加入者情報管理サーバ５０は、ＳＩＰサーバ４０からＳＩＰ登録を受け付けて、当該ＳＩＰ登録に係る情報を保持する。なお、図１では、ＳＩＰサーバ４０と加入者情報管理サーバ５０は、ＧＰＲＳ網Ｎに含まれない構成となっているが、ＧＰＲＳ網Ｎに含まれる構成となっていてもよい。
【００２３】
上述した移動通信システム１における各構成要素のうち、ＧＰＲＳ交換機３０及びＳＩＰサーバ４０は、本発明の実施形態に係る通信制御システム６０を構成している。通信制御システム６０は、移動通信端末１０にＧＰＲＳ網Ｎを介して相手端末１０との間にセッションを確立して当該相手端末１０との間で通信を行う機能を提供するシステムであり、後述するように本発明に係る機能を有している。なお、通信制御システム６０は、必ずしも複数種類の装置で構成されている必要はなく、例えば、ＳＩＰサーバ４０のみで構成されていてもよい。
【００２４】
引き続いて、本発明に係る機能を中心とした、移動通信端末１０、ＧＰＲＳ交換機３０及びＳＩＰサーバ４０の機能について説明する。図２に示すように、移動通信端末１０は、入力部１１と、ベアラ確立判定部１２と、ベアラ状態保持部１３と、ＧＰＲＳ処理部１４と、ＳＩＰ処理部１５と、無線信号送受信部１６とを備えて構成される。なお、移動通信端末１０は、上記以外の移動通信端末１０として機能するための構成要素を有している。
【００２５】
入力部１１は、通信を行う相手端末１０を特定する相手端末情報を入力する入力手段である。相手端末情報としては、具体的には、通信相手となる移動通信端末１０の電話番号である。相手端末情報の入力は、通信相手を特定した上でのユーザによる発信操作が行われる際に行われる。入力部１１は、入力した相手端末情報をベアラ確立判定部１２に出力する。なお、通信相手の移動通信端末１０が複数ある場合は、入力部１１は、複数の相手端末情報を入力する。
【００２６】
ベアラ確立判定部１２は、発信操作が行われて入力部１１から相手端末情報が入力されると、自端末１０とＧＰＲＳ網Ｎとの間にＧＰＲＳベアラが確立されているか否かを判定する手段である。具体的には、ベアラ確立判定部１２は、ベアラ状態保持部１３により、自端末１０とＧＰＲＳ網Ｎとの間にＧＰＲＳベアラが確立されている旨の情報が保持されているか否かにより上記の判定を行う。
【００２７】
ＧＰＲＳベアラが確立されていないと判定された場合、ＧＰＲＳベアラを確立する必要がある。その場合、ベアラ確立判定部１２は、入力部１１から入力された相手端末情報を、ＧＰＲＳ処理部１４に対して通知すると共にＧＰＲＳベアラを確立する処理を行うように指示する。
【００２８】
また、ＧＰＲＳベアラが確立されていると判定された場合、ＧＰＲＳベアラを確立する必要はなく、相手端末１０との間にＶｏＩＰセッションを確立する処理が行われればよい。その場合、ベアラ確立判定部１２は、入力部１１から入力された相手端末情報をＳＩＰ処理部１５に対して通知すると共にＶｏＩＰセッションを確立する処理を行うように指示する。
【００２９】
ベアラ状態保持部１３は、自端末１０とＧＰＲＳ網Ｎとの間のＧＰＲＳベアラの確立状態の情報を保持する手段である。この情報は、ＧＰＲＳ処理部１４から入力される。
【００３０】
ＧＰＲＳ処理部１４は、ＶｏＩＰの通信に際して、ＧＰＲＳベアラの確立等のＧＰＲＳに係る処理を行う手段である。具体的には、ＧＰＲＳ処理部１４は、ベアラ確立判定部１２からＧＰＲＳベアラを確立する処理を行う指示を受けたときに、ＧＰＲＳベアラを確立するためのベアラ確立要求をＧＰＲＳ網Ｎに送信すると共に、ベアラ確立判定部１２から通知された相手端末情報を当該送信の際にＧＰＲＳ網Ｎに送信するベアラ確立要求送信手段である。相手端末情報である電話番号は、ベアラ確立要求に含められてベアラ確立要求と共に送信されることが好ましい。例えば、電話番号をベアラ確立要求（Activate PDP Context Request）のオプション（ＰＣＯ（Protocol ConfigurationOption））に設定して送信することが望ましい。ＧＰＲＳ処理部１４は、ベアラ確立要求を無線信号送受信部１６に入力する。ベアラ確立要求は、無線信号送受信部１６から無線基地局２０を介してＲＮＣに送信されて、ＲＮＣからＧＰＲＳ交換機３０に入力される。なお、通信相手の移動通信端末１０が複数ある場合は、ＧＰＲＳ処理部１４は、複数の相手端末情報をベアラ確立要求と共に送信する。
【００３１】
なお、相手端末情報は、必ずしもベアラ確立要求に含まれて送信される必要はなく、ベアラ確立要求に対応付けてベアラ確立要求と同じタイミングで送信されればよい。
【００３２】
ＧＰＲＳ処理部１４は、ＧＰＲＳベアラが確立されると、その旨の情報をベアラ状態保持部１３に入力する。また、ＧＰＲＳ処理部１４は、ＧＰＲＳベアラが確立されると、相手端末情報をＳＩＰ処理部１５に対して通知すると共にＶｏＩＰセッションを確立する処理を行うように指示する。また、ＧＰＲＳ処理部１４は、自端末１０に対する着信があり、ベアラ確立要求を受けた場合にも、ＧＰＲＳ交換機３０との間でＧＰＲＳベアラの確立処理を行う。
【００３３】
また、ＧＰＲＳ処理部１４は、自端末１０に対する着信があり、ベアラ確立要求を受けた場合にも、ＧＰＲＳ交換機３０との間でＧＰＲＳベアラの確立処理を行う。
【００３４】
ＳＩＰ処理部１５は、ＶｏＩＰの通信に際して、ＶｏＩＰセッションの確立等のＳＩＰに係る処理を行う手段である。具体的には、ＳＩＰ処理部１５は、自端末１０のＧＰＲＳベアラが確立されると、接続されるＳＩＰサーバ４０との間でＳＩＰ登録処理（ＳＩＰ Registration Procedure）を行う。また、ＳＩＰ処理部１５は、ベアラ確立判定部１２又はＧＰＲＳ処理部１４からＶｏＩＰセッションを確立する処理を行う指示を受けたときに、入力された相手端末情報を含む、通信開始要求信号であるＩＮＶＩＴＥをＳＩＰサーバ４０に送信する。ＩＮＶＩＴＥの送信は、無線信号送受信部１６を介して行われる。後述するように、送信されたＩＮＶＩＴＥに対して処理が行われることによってＶｏＩＰセッションが確立される。
【００３５】
無線信号送受信部１６は、無線基地局２０との間で無線通信を行う手段である。無線信号送受信部１６は、ＧＰＲＳ処理部１４及びＳＩＰ処理部１５等から入力された信号を、無線信号として無線基地局２０に送信する。また、無線信号送受信部１６は、無線信号として無線基地局２０から送信された信号を受信して、信号に応じてＧＰＲＳ処理部１４及びＳＩＰ処理部１５等に入力する。以上が移動通信端末１０の機能構成である。
【００３６】
図３に移動通信端末１０のハードウェア構成を示す。図３に示すように、移動通信端末１０は、ＣＰＵ（Central Processing Unit）１０１、ＲＡＭ（Random Access Memory）１０２、ＲＯＭ（ReadOnly Memory）１０３、操作部１０４、無線通信部１０５、ディスプレイ１０６及びアンテナ１０７等のハードウェアにより構成されている。これらの構成要素が動作することにより、上述した移動通信端末１０の各機能が発揮される。以上が、移動通信端末１０の構成である。
【００３７】
引き続いて、ＧＰＲＳ交換機３０及びＳＩＰサーバ４０について説明する。図４に示すように、ＧＰＲＳ交換機３０は、信号送受信部３１と、情報送受信部３２と、ベアラ確立処理部３３とを備えて構成される。なお、ＧＰＲＳ交換機３０は、下記以外のＧＰＲＳ交換機として機能するための構成要素を有している。
【００３８】
信号送受信部３１は、無線基地局２０を介して移動通信端末１０との間で信号を送受信する手段である。受信される情報には、上述したベアラ確立要求を含む。即ち、信号送受信部３１は、移動通信端末１０から送信されるベアラ確立要求を受信すると共に、当該ベアラ確立要求の送信の際に送信される相手端末情報を受信するベアラ確立要求受信手段である。信号送受信部３１は、ベアラ確立要求を受信すると、その旨をベアラ確立処理部３３に通知する。その際、ＧＰＲＳベアラの確立対象となる端末である移動通信端末１０（発信側端末）の情報を通知する。また、信号送受信部３１は、ベアラ確立要求の送信の際に送信される相手端末情報を、ベアラ確立要求があったことを通知する（接続通知）と共に、情報送受信部３２を介してＳＩＰサーバ４０に送信する。
【００３９】
情報送受信部３２は、自装置３０と接続されるＳＩＰサーバ４０との間で情報を送受信する手段である。情報送受信部３２は、ＳＩＰサーバ４０から相手端末情報及びベアラ確立要求を受信した場合は、ベアラ確立処理部３３にその旨を通知する。
【００４０】
ベアラ確立処理部３３は、移動通信端末１０との間にＧＰＲＳベアラを確立する処理を行うベアラ確立手段（の一機能）である。ベアラ確立処理部３３は、情報送受信部３２からベアラ確立要求が行われた旨が通知された場合等に当該処理を行う。以上が、ＧＰＲＳ交換機３０の機能構成である。
【００４１】
図４に示すように、ＳＩＰサーバ４０は、情報送受信部４１と、ＳＩＰ機能部４２と、ベアラ確立制御部４３とを備えて構成される。
【００４２】
情報送受信部４１は、自装置４０と接続されるＧＰＲＳ交換機３０、別のＳＩＰサーバ４０及び加入者情報管理サーバ５０との間で情報の送受信を行う手段である。情報送受信部４１は、移動通信端末１０からのベアラ確立要求があったことをＧＰＲＳ交換機３０から通知されると、その旨をＳＩＰ機能部４２に通知する。情報送受信部４１は、ベアラ確立要求と共に相手端末情報を、ＧＰＲＳ交換機３０から通知されると当該相手端末情報をベアラ確立制御部４３に出力する。また、情報送受信部４１は、移動通信端末１０から送信されたＩＮＶＩＴＥを受信して、ＳＩＰ機能部４２に出力する。
【００４３】
ＳＩＰ機能部４２は、移動通信端末１０に対するＶｏＩＰの通信機能の提供に際してＳＩＰに係る処理を行う手段である。具体的には、ＳＩＰ機能部４２は、ＳＩＰの登録処理を行う。ＳＩＰ機能部４２は、ＳＩＰの登録処理を行った際には、加入者情報管理サーバ５０に、ＳＩＰの登録に係る移動通信端末１０を特定する情報に対応付けて登録した旨の情報を格納させる。また、ＳＩＰ機能部４２は、移動通信端末１０から送信されるＩＮＶＩＴＥに応じたＶｏＩＰのセッション確立処理を行う。即ち、ＳＩＰ機能部４２は、確立された各ＧＰＲＳベアラを用いた、移動通信端末１０間にＧＰＲＳセッションを確立するセッション確立手段である。
【００４４】
ベアラ確立制御部４３は、ベアラの送信の際に送信された相手端末情報により特定される相手端末１０とＧＰＲＳ網Ｎとの間のＧＰＲＳベアラを確立するベアラ確立手段（の一機能）である。ここで、相手端末情報は、情報送受信部４１から入力されたものである。具体的には、まず、ベアラ確立制御部４３は、相手端末情報により特定される相手端末１０とＧＰＲＳ網Ｎとの間のＧＰＲＳベアラが確立されているか否かを確認する。これは、加入者情報管理サーバ５０に格納されている当該相手端末１０のＳＩＰの登録に関する情報を参照することにより行なわれる。ＳＩＰの登録が行われている場合は、上述したようにＧＰＲＳベアラが既に確立されていると判断される。当該相手端末１０にＧＰＲＳベアラが確立されていた場合、ベアラ確立制御部４３は特段の処理を行わない。
【００４５】
ＳＩＰの登録が行われていない場合は、ＧＰＲＳベアラが確立されていないと判断される。当該相手端末１０にＧＰＲＳベアラが確立されていなかった場合、ベアラ確立制御部４３は、当該相手端末１０と接続されるＧＰＲＳ交換機３０に当該相手端末１０との間にＧＰＲＳベアラを確立するようにベアラ確立要求を、情報送受信部４１を介して送信する。これにより、ＧＰＲＳ交換機３０と相手端末１０との間でＧＰＲＳベアラを確立する処理が行われる。この処理は、発信側の移動通信端末１０のＧＰＲＳベアラの確立と並行に行われる。以上が、ＳＩＰサーバ４０の機能構成である。
【００４６】
図５に通信制御システム６０の構成要素であるＧＰＲＳ交換機３０及びＳＩＰサーバ４０のハードウェア構成を示す。図５に示すようにこれらの装置３０，４０は、ＣＰＵ２０１、主記憶装置であるＲＡＭ２０２及びＲＯＭ２０３、通信を行うための通信モジュール２０４、並びにハードディスク等の補助記憶装置２０５等のハードウェアを備えるコンピュータを含むものとして構成される。これらの構成要素がプログラム等により動作することにより、上述した各装置３０，４０に応じた機能が発揮される。また、加入者情報管理サーバ５０の上記と同様のハードウェア構成をとる。
【００４７】
引き続いて、図６及び図７のシーケンス図を用いて本実施形態に係る移動通信端末１０及び通信制御システム６０により実行される処理について説明する。なお、この処理は、発信側移動通信端末１０ａから着信側移動通信端末１０ｂに対して発信が行われて、発信側移動通信端末１０ａと着信側移動通信端末１０ｂとの間にＶｏＩＰのセッションが確立されて通信が確立されるまでの処理である。また、図１に示すように、発信側移動通信端末１０ａと着信側移動通信端末１０ｂとは、それぞれ異なるＧＰＲＳ網Ｎａ，Ｎｂに接続され、無線基地局２０ａ，２０ｂ、ＧＰＲＳ交換機３０ａ，３０ｂ及びＳＩＰサーバ４０ａ，４０ｂもそれぞれに異なるものに接続される。
【００４８】
まず、発信側移動通信端末１０ａでは、ユーザによる発信操作が受け付けられる（Ｓ０１）。この際に、入力部１１によって、相手端末である着信側移動通信端末１０ｂを特定する相手端末情報が入力される。入力された相手端末情報は、着信側移動通信端末１０ｂからベアラ確立判定部１２に入力される。複数の移動通信端末１０間で通信を行うために、複数の相手端末情報が入力された場合、全ての相手端末情報がベアラ確立判定部１２に入力される。
【００４９】
続いて、ベアラ確立判定部１２によって、自端末１０とＧＰＲＳ網Ｎとの間にＧＰＲＳベアラが確立されているか否かが判定される（Ｓ０２）。ＧＰＲＳベアラが確立されていると判断された場合、後述する発信処理（Ｓ１６〜Ｓ２４）が行われる。ＧＰＲＳベアラが確立されていないと判断された場合、ベアラ確立判定部１２からＧＰＲＳ処理部１４に対して、相手端末情報が通知されると共にＧＰＲＳベアラを確立する処理を行うように指示が行われる。
【００５０】
続いて、ＧＰＲＳ処理部１４からＧＰＲＳ網Ｎａ（の発信側ＧＰＲＳ交換機３０ａ）に、ベアラ確立要求が送信される（Ｓ０３）。上述したように、送信されるベアラ確立要求には、相手端末情報である着信側移動通信端末１０ｂの電話番号が含められている。発信側ＧＰＲＳ交換機３０ａでは、信号送受信部３１によって当該ベアラ確立要求が受信される。続いて、ＧＰＲＳ交換機３０ａでは、ベアラ確立要求があった旨が信号送受信部３１から情報送受信部３２及びベアラ確立処理部３３に通知される。また、信号送受信部３１から情報送受信部３２には、相手端末情報が通知される。
【００５１】
続いて、情報送受信部３２から発信側ＳＩＰサーバ４０ａに、ベアラ確立要求があったことが通知される（接続通知）と共に、相手端末情報が送信される（Ｓ０４）。発信側ＳＩＰサーバ４０ａでは、情報送受信部４１によってそれらの情報が受信される。続いて、着信側移動通信端末１０ｂにＧＰＲＳベアラを確立する着信側ベアラ確立処理（Ｓ０５〜Ｓ１２）と、発信側移動通信端末１０ａにＧＰＲＳベアラを確立する発信側ベアラ確立処理（Ｓ１３〜Ｓ１５）とが並行して実施される。
【００５２】
まず、着信側ベアラ確立処理を説明する。発信側ＳＩＰサーバ４０ａでは、情報送受信部４１からベアラ確立制御部４３に、接続通知があった旨が通知されると共に相手端末情報が入力される。続いて、ベアラ確立制御部４３から（情報送受信部４１を介して）加入者情報管理サーバ５０に、当該相手端末情報により特定される着信側移動通信端末１０ｂの情報の要求が行われる（Ｓ０５）。具体的には、着信側移動通信端末１０ｂのＳＩＰの登録が行われているかの情報（何れのＳＩＰサーバ４０にＳＩＰの登録が行われているかの情報）の要求が行われる。
【００５３】
加入者情報管理サーバ５０によって、上記の要求が受信されるとそれに対する応答として着信側移動通信端末１０ｂのＳＩＰの登録が行われているかの情報が発信側ＳＩＰサーバ４０ａに送信される（Ｓ０６）。発信側ＳＩＰサーバ４０ａでは、ベアラ確立制御部４３によって加入者情報管理サーバ５０からの応答が受信される。
【００５４】
続いて、ベアラ確立制御部４３によって、当該応答に基づいて、着信側移動通信端末１０ｂのＳＩＰの登録が行われているかの判定が行われる（Ｓ０７）。着信側移動通信端末１０ｂのＳＩＰの登録が行われている場合、上述したように着信側移動通信端末１０ｂのＧＰＲＳベアラが既に確立されていると判断される。従って、着信側ベアラ確立処理はここで終了して、発信側ベアラ確立処理の終了が待たれる。
【００５５】
着信側移動通信端末１０ｂのＳＩＰの登録が行われている場合、上述したように着信側移動通信端末１０ｂのＧＰＲＳベアラが確立されていないと判断される。従って、ベアラ確立制御部４３から着信側ＧＰＲＳ交換機３０ｂに、着信側移動通信端末１０ｂとの間にＧＰＲＳベアラを確立するようにベアラ確立要求を、情報送受信部４１を介して送信する（Ｓ０８）。なお、ベアラ確立要求を送信するＧＰＲＳ交換機３０ｂの特定は、相手端末情報に基づいて行われる。
【００５６】
着信側ＧＰＲＳ交換機３０ｂでは、情報送受信部３２によって、当該ベアラ確立要求が受信されて、ベアラ確立処理部３３に入力される。続いて、ベアラ確立処理部３３によって、以下のように着信側移動通信端末１０ｂのＧＰＲＳベアラを確立する処理が行われる。まず、着信側移動通信端末１０ｂにＧＰＲＳベアラを確立するための呼び出しが行われる（Ｓ０９）。また、発信側ＳＩＰサーバ４０ａにベアラ確立要求に対する応答が送信される（Ｓ１０）。
【００５７】
その後、着信側ＧＰＲＳ交換機３０ｂのベアラ確立処理部３３と着信側移動通信端末１０ｂのＧＰＲＳ処理部１４との間で、ＧＰＲＳベアラが確立される（Ｓ１１）。着信側移動通信端末１０ｂでは、ベアラ状態保持部１３によって自端末１０ｂとＧＰＲＳ網Ｎｂとの間のＧＰＲＳベアラの確立状態の情報が保持される。
【００５８】
続いて、従来の処理と同様に着信側ＳＩＰサーバ４０ｂのＳＩＰ機能部４２と、着信側移動通信端末１０ｂのＳＩＰ処理部１５との間でＳＩＰ登録処理が行われ、加入者情報管理サーバ５０によって着信側移動通信端末１０ｂのＳＩＰ登録に係る情報が保持される（Ｓ１２）。
【００５９】
なお、相手端末情報が複数ある場合（１対１でなく１対Ｎ通信等の多数の端末間での通信が行われる場合）、Ｓ０７〜Ｓ１２の処理は相手端末情報毎に（並行して）行われる。以上が、着信側ベアラ確立処理である。
【００６０】
続いて、図７のシーケンス図を用いて、発信側ベアラ確立処理を説明する。Ｓ０４の処理後、発信側ＳＩＰサーバ４０ａから発信側ＧＰＲＳ交換機３０ａに、接続通知に対する応答が行われる（Ｓ１３）。続いて、発信側ＧＰＲＳ交換機３０ａでは、当該応答が受信される。続いて、ベアラ確立処理部３３から発信側移動通信端末１０ａにベアラ確立要求に対する応答が送信される（Ｓ１４）。発信側移動通信端末１０ａでは、ＧＰＲＳ処理部１４により当該応答が受信されて、発信側移動通信端末１０ａのＧＰＲＳベアラが確立される。発信側移動通信端末１０ａでは、ベアラ状態保持部１３によって自端末１０ａとＧＰＲＳ網Ｎａとの間のＧＰＲＳベアラの確立状態の情報が保持される。
【００６１】
続いて、従来の処理と同様に発信側ＳＩＰサーバ４０ａのＳＩＰ機能部４２と、発信側移動通信端末１０ａのＳＩＰ処理部１５との間でＳＩＰ登録処理が行われ、加入者情報管理サーバ５０によって発信側移動通信端末１０ａのＳＩＰ登録に係る情報が保持される（Ｓ１５）。以上が、発信側ベアラ確立処理である。
【００６２】
以上のように発信側移動通信端末１０ａのＧＰＲＳベアラが確立されると、続いて、発信側移動通信端末１０ａからの発信処理が行われる。
【００６３】
まず、発信側移動通信端末１０ａでは、ＳＩＰ処理部１５によって、ＩＮＶＩＴＥが発信側ＳＩＰサーバ４０ａに送信される（Ｓ１６）。なお、このＩＮＶＩＴＥには、着信先を特定するために、着信側移動通信端末１０ｂの相手端末情報が含められている。発信側ＳＩＰサーバ４０ａでは、ＳＩＰ機能部４２によってＩＮＶＩＴＥが受信されて、以下のように当該ＩＮＶＩＴＥに応じたＶｏＩＰセッションの確立が行われる。
【００６４】
ＳＩＰ機能部４２によって、加入者情報管理サーバ５０に、相手端末情報により特定される着信側移動通信端末１０ｂの情報の要求が行われる（Ｓ１７）。この情報は、例えば、何れのＳＩＰサーバ４０にＳＩＰ登録が行われているか等のＶｏＩＰセッションを確立するために必要な情報である。加入者情報管理サーバ５０によって、上記の要求が受信されるとそれに対する応答として着信側移動通信端末１０ｂの情報が発信側ＳＩＰサーバ４０ａに送信される（Ｓ１８）。発信側ＳＩＰサーバ４０ａでは、ＳＩＰ機能部４２により当該情報が受信される。なお、この時点で着信側ベアラ確立処理（Ｓ０５〜Ｓ１２）が完了していない場合、着信側ベアラ確立処理の完了を待って処理が進められる。
【００６５】
続いて、当該情報に基づいて、発信側ＳＩＰサーバ４０ａのＳＩＰ機能部４２から着信側ＳＩＰサーバ４０ｂにＩＮＶＩＴＥが送信される（Ｓ１９）。着信側ＳＩＰサーバ４０ｂでは、ＳＩＰ機能部４２によってＩＮＶＩＴＥが受信されて着信側移動通信端末１０ｂに送信される（Ｓ２０）。着信側移動通信端末１０ｂでは、ＳＩＰ処理部１５によりＩＮＶＩＴＥが受信される。
【００６６】
着信側移動通信端末１０ｂでは、ＳＩＰ処理部１５の機能等によりユーザに着信があった旨の通知が行われて、ユーザから着信に応答する旨の入力等がなされるとＳＩＰ処理部１５により当該入力が受け付けられる。続いて、ＩＮＶＩＴＥに対する応答信号である“２００  ＯＫ”が着信側移動通信端末１０ｂから送信される。当該信号は、ＩＮＶＩＴＥとは逆の経路、即ち、着信側ＳＩＰサーバ４０ｂ、発信側ＳＩＰサーバ４０ａを経由して、発信側移動通信端末１０ａ（のＳＩＰ処理部１５）により受信される（Ｓ２１，Ｓ２２，Ｓ２３）。
【００６７】
これらの処理により発信側移動通信端末１０ａと着信側移動通信端末１０ｂとの間にはＶｏＩＰセッションが確立され（Ｓ２４）、当該セッションが利用された通信が行われる。
【００６８】
なお、Ｓ０２において、発信側移動通信端末１０ａのＧＰＲＳベアラが確立されていると判断されて発信処理が行われ、また、着信側移動通信端末１０ｂのＧＰＲＳベアラが確立されていない場合には、従来の処理と同様に発信処理の中で着信側ベアラ確立処理が行われる。
【００６９】
また、上述した処理においては、発信側移動通信端末１０ａ及び着信側移動通信端末１０ｂはそれぞれ異なるＧＰＲＳ網Ｎａ，Ｎｂに接続されているが、同じＧＰＲＳ網Ｎに接続されてもよい。
【００７０】
従来の通信システムでは、着信側のＧＰＲＳベアラの確立は、発信側のＧＰＲＳベアラが確立された後、発信側の端末からＩＮＶＩＴＥが送信されてから行われていた。即ち、発信側ベアラ確立処理が完了しなければ、着信側ベアラ確立処理が行われないものであり、結果としてＶｏＩＰ接続の確立に時間を要していた。一方、上述したように本実施形態によれば、発信側ベアラ確立処理と着信側ベアラ確立処理とが並行して行われるため、ＶｏＩＰ接続の通信の確立を迅速に行うことができる。また、これによりユーザの体感的な通信待ち時間を短縮することができる。
【００７１】
また、本実施形態のように、相手端末情報が複数ある場合に、それらを並行に処理することとすれば、複数の移動通信端末１０間で通信が行われるような、ＰｏＣ等のシステムにおいても確実に本発明を実施することができる共により迅速な処理が可能になる。
【００７２】
なお、本実施形態では、ＰｏＣ等のＶｏＩＰの通信を例としたが、必ずしもこのプロトコルによる通信でなくてもよく、上述の枠組みにより処理が行われるプロトコルによる通信であればよい。
【図面の簡単な説明】
【００７３】
【図１】本発明の実施形態における移動通信端末及び通信制御システムを示す図である。
【図２】本発明の実施形態における移動通信端末の機能構成を示す図である。
【図３】本発明の実施形態における移動通信端末のハードウェア構成を示す図である。
【図４】本発明の実施形態における通信制御システムを構成するＧＰＲＳ交換機及びＳＩＰサーバの機能構成を示す図である。
【図５】本発明の実施形態における通信制御システムを構成するＧＰＲＳ交換機及びＳＩＰサーバ等のハードウェア構成を示す図である。
【図６】本発明の実施形態における移動通信端末及び通信制御システムで実行される処理を示すシーケンス図である。
【図７】本発明の実施形態における移動通信端末及び通信制御システムで実行される処理を示すシーケンス図である。
【符号の説明】
【００７４】
１…移動通信システム、１０…移動通信端末、１１…入力部、１２…ベアラ確立判定部、１３…ベアラ状態保持部、１４…ＧＰＲＳ処理部、１５…ＳＩＰ処理部、１６…無線信号送受信部、１０１…ＣＰＵ、１０２…ＲＡＭ、１０３…ＲＯＭ、１０４…操作部、１０５…無線通信部、１０６…ディスプレイ、１０７…アンテナ、２０…無線基地局、３０…ＧＰＲＳ交換機、３１…信号送受信部、３２…情報送受信部、３３…ベアラ確立処理部、４０…ＳＩＰサーバ、４１…情報送受信部、４２…ＳＩＰ機能部、４３…ベアラ確立制御部、５０…加入者情報管理サーバ、２０１…ＣＰＵ、２０２…ＲＡＭ、２０３…ＲＯＭ、２０４…通信モジュール、２０５…補助記憶装置、６０…通信制御システム、Ｎ…ＧＰＲＳ網。
【図１】
2009065271.tif 000003
【図２】
2009065271.tif 000004
【図３】
2009065271.tif 000005
【図４】
2009065271.tif 000006
【図５】
2009065271.tif 000007
【図６】
2009065271.tif 000008
【図７】
2009065271.tif 000009